(57)【要約】【課題】運転者以外の後部座席の乗員がリモートコントロールで車載制御装置の操作を行う際の便利性を高める。【解決手段】パネル部２１が車両の車室内前方に設置される場合に、操作スイッチユニット１５だけでなく、リモートコントロール装置からの無線信号を受信する受信部を搭載し、操作スイッチユニット１５とリモートコントロール装置からの両方の信号に対応して車載電装ユニットを制御する。この場合、操作スイッチユニット１５で操作された場合とリモートコントロール装置で操作された場合とでパネル部２１の表示モードを変え、表示される表示情報要素の大きさを、操作した乗員が視認し易いようにする。【選択図】図１
2005162048.tif 000002
【特許請求の範囲】
【請求項１】
車両の車室内前方に設置される車載制御装置であって、
操作スイッチユニットと、
所定のリモートコントロール装置からの無線信号を受信する受信部と、
前記操作スイッチユニット及び前記受信部からの信号に応じて前記車載電装ユニットが操作された操作状況を表示するパネル部と、
前記操作スイッチユニット及び前記受信部からの信号に応じて所定の車載電装ユニットに制御信号を出力するとともに前記パネル部での表示制御を行う制御部と
を備え、
前記パネル部とリア席の乗員の視点とを結ぶ直線が、当該乗員の前に位置する座席の背もたれを回避するよう、前記パネル部の設置位置が設定されたことを特徴とする車載制御装置。
【請求項２】
請求項１に記載の車載制御装置であって、
前から２列目の座席の乗員の視点を基準点とした前記パネル部の表示画面の中心点の俯角が０°〜１１°の範囲内となる位置に設定されたことを特徴とする車載制御装置。
【請求項３】
請求項１または請求項２に記載の車載制御装置であって、
前から３列目の座席の乗員の視点を基準点とした前記パネル部の表示画面の中心点の俯角が０°〜７°の範囲内となる位置に設定されたことを特徴とする車載制御装置。
【請求項４】
請求項１から請求項３のいずれかに記載の車載制御装置であって、
最前列の座席の乗員の視点を基準点とした前記パネル部の表示画面の中心点の俯角が０°〜２５°の範囲内となる位置に設定されたことを特徴とする車載制御装置。
【請求項５】
請求項１から請求項４のいずれかに記載の車載制御装置であって、
前記制御部が、前記操作スイッチユニットから操作に係る信号が与えられたときに、前記最前列の座席の乗員が視認するための第１の表示モードで前記パネル部の表示制御を行う一方、前記受信部から操作に係る信号が与えられたときに、２列目以後の座席の乗員が視認するために表示情報要素の拡大表示を行う第２の表示モードで前記パネル部の表示制御を行うことを特徴とする車載制御装置。
【請求項６】
請求項５に記載の車載制御装置であって、
前記第２の表示モードは、前記表示情報要素の外形寸法をＷとし、２列目以後の全ての座席の乗員の視点から前記パネル部までの離間距離をＬとして、次の式が成立するように前記表示情報要素を表示することを特徴とする車載制御装置。
Ｗ≧Ｌ×sin０．２°
【請求項７】
請求項５または請求項６に記載の車載制御装置であって、
前記第２の表示モードは、前記表示情報要素の外形寸法をＷとし、２列目以後の座席の少なくとも一部の乗員の視点から前記パネル部までの離間距離をＬとして、次の式が成立するように前記表示情報要素を表示することを特徴とする車載制御装置。
Ｗ≧Ｌ×sin０．３°
【請求項８】
請求項５から請求項７のいずれかに記載の車載制御装置であって、
前記第２の表示モードは、前記表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の全ての座席の乗員の視点から前記パネル部までの離間距離をＬとして、次の式が成立することを特徴とする車載制御装置。
Ｗ２≧Ｌ×sin０．０４°
【請求項９】
請求項５から請求項８のいずれかに記載の車載制御装置であって、
前記第２の表示モードは、前記表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の座席の少なくとも一部の乗員の視点から前記パネル部までの離間距離をＬとして、次の式が成立することを特徴とする車載制御装置。
Ｗ２≧Ｌ×sin０．０６°
【請求項１０】
請求項８または請求項９に記載の車載制御装置であって、
前記表示情報要素がアラビア数字を少なくとも含み、前記狭窄された間隙部分が、アラビア数字の「５」の左下の間隙部分であることを特徴とする車載制御装置。
【発明の詳細な説明】
【技術分野】
【０００１】
本発明は、車両の車室内前方に設置されて所定の車載電装ユニットを制御する車載制御装置に関するものである。
【背景技術】
【０００２】
近年、電子制御技術の進展に伴い、様々な機能の車載電子ユニットが自動車に搭載され、それらのスイッチ操作が車室内前方のインストゥルメント・パネルで集中的に行われることが多い。この場合、操作状況が液晶表示パネル等の所定の表示装置に表示することが行われている。
【０００３】
ところで、ワゴン車等では、後部座席が複数列設置されていることが多く、最後部のリア席から車室内前方のインストゥルメント・パネルまでの距離が約３ｍ以上になる場合もある。このため、例えばリア部の空調（エアコン）の操作スイッチがインストゥルメント・パネルに設置されていると、この空調（エアコン）の操作スイッチを最後部のリア席に座した乗員が操作することはほぼ不可能である。
【０００４】
そこで、従来においては、図１０の如く、複数のリア席のうち所定の位置の直上の天井部１や車体側部内側等にスイッチパネル２を設けたものがあった（従来技術１）。このスイッチパネル２は、車体内部に配策された信号線（図示省略）により、運転席や助手席の付近に設置された車載制御装置３と接続されており、スイッチパネル２での操作に係る信号が信号線を通じて車載制御装置３に与えられていた。
【０００５】
あるいは、図１１の如く、インストゥルメント・パネルの直上部等に、運転席や助手席に座した乗員がスイッチ操作するためのスイッチパネル５を配置するとともに、このスイッチパネル５内に赤外線信号や電波信号等の無線信号を受信する受信機を設置し、リア席でのリモートコントロール装置（図示省略）での操作に応じて、このリモートコントロール装置から無線信号をスイッチパネル５に送信することも行われている（従来技術２）。尚、この従来技術２の場合も、スイッチパネル５が車体内部に配策された信号線（図示省略）により運転席と助手席との間の前面部に設置された車載制御装置６と接続されており、スイッチパネル５での操作に係る信号が信号線を通じて車載制御装置６に与えられていた。
【発明の開示】
【発明が解決しようとする課題】
【０００６】
一般に自動車においては、車体の形状によって決定される一定の空間を広々と使用したい要請があるが、天井部や車体側部内側にスイッチパネル２，５を設置すると、そのスイッチパネル２，５の奥行き分だけ部品が車体内部側にせり出すことになり、車室空間を狭める結果となってしまう。
【０００７】
しかも、スイッチパネル２，５と車載制御装置３，６との間が有線配線となっていたため、信号線等を車体内部に配策するための空間も必要となり、ますます車体内部空間を狭める要因となっていた。
【０００８】
また、車載制御装置３，６とは別個にスイッチパネル２，５を設けていることは、車内空間に存在する部品の点数が増大する結果となっており、車内空間の効率使用という点でも、また部品コストの低減という点でも、この部品点数を可及的に削減することが課題となっていた。
【０００９】
そこで、本発明の課題は、車内空間を効率的に広く活用し得る車載制御装置を提供することにある。
【課題を解決するための手段】
【００１０】
上記課題を解決すべく、請求項１に記載の発明は、車両の車室内前方に設置される車載制御装置であって、操作スイッチユニットと、所定のリモートコントロール装置からの無線信号を受信する受信部と、前記操作スイッチユニット及び前記受信部からの信号に応じて前記車載電装ユニットが操作された操作状況を表示するパネル部と、前記操作スイッチユニット及び前記受信部からの信号に応じて所定の車載電装ユニットに制御信号を出力するとともに前記パネル部での表示制御を行う制御部とを備え、前記パネル部とリア席の乗員の視点とを結ぶ直線が、当該乗員の前に位置する座席の背もたれを回避するよう、前記パネル部の設置位置が設定されたものである。
【００１１】
請求項２に記載の発明は、請求項１に記載の車載制御装置であって、前から２列目の座席の乗員の視点を基準点とした前記パネル部の表示画面の中心点の俯角が０°〜１１°の範囲内となる位置に設定されたものである。
【００１２】
請求項３に記載の発明は、請求項１または請求項２に記載の車載制御装置であって、前から３列目の座席の乗員の視点を基準点とした前記パネル部の表示画面の中心点の俯角が０°〜７°の範囲内となる位置に設定されたものである。
【００１３】
請求項４に記載の発明は、請求項１から請求項３のいずれかに記載の車載制御装置であって、最前列の座席の乗員の視点を基準点とした前記パネル部の表示画面の中心点の俯角が０°〜２５°の範囲内となる位置に設定されたものである。
【００１４】
請求項５に記載の発明は、請求項１から請求項４のいずれかに記載の車載制御装置であって、前記制御部が、前記操作スイッチユニットから操作に係る信号が与えられたときに、前記最前列の座席の乗員が視認するための第１の表示モードで前記パネル部の表示制御を行う一方、前記受信部から操作に係る信号が与えられたときに、２列目以後の座席の乗員が視認するために表示情報要素の拡大表示を行う第２の表示モードで前記パネル部の表示制御を行うものである。
【００１５】
請求項６に記載の発明は、請求項５に記載の車載制御装置であって、前記第２の表示モードは、前記表示情報要素の外形寸法をＷとし、２列目以後の全ての座席の乗員の視点から前記パネル部までの離間距離をＬとして、次の式が成立するように前記表示情報要素を表示するものである。
Ｗ≧Ｌ×sin０．２°
【００１６】
請求項７に記載の発明は、請求項５または請求項６に記載の車載制御装置であって、前記第２の表示モードは、前記表示情報要素の外形寸法をＷとし、２列目以後の座席の少なくとも一部の乗員の視点から前記パネル部までの離間距離をＬとして、次の式が成立するように前記表示情報要素を表示するものである。
Ｗ≧Ｌ×sin０．３°
【００１７】
請求項８に記載の発明は、請求項５から請求項７のいずれかに記載の車載制御装置であって、前記第２の表示モードは、前記表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の全ての座席の乗員の視点から前記パネル部までの離間距離をＬとして、次の式が成立するものである。
Ｗ２≧Ｌ×sin０．０４°
【００１８】
請求項９に記載の発明は、請求項５から請求項８のいずれかに記載の車載制御装置であって、前記第２の表示モードは、前記表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の座席の少なくとも一部の乗員の視点から前記パネル部までの離間距離をＬとして、次の式が成立するものである。
Ｗ２≧Ｌ×sin０．０６°
【００１９】
請求項１０に記載の発明は、請求項８または請求項９に記載の車載制御装置であって、前記表示情報要素がアラビア数字を少なくとも含み、前記狭窄された間隙部分が、アラビア数字の「５」の左下の間隙部分である。
【発明の効果】
【００２０】
請求項１に記載の発明は、パネル部が車両の車室内前方に設置される場合に、操作スイッチユニットだけでなく、リモートコントロール装置からの無線信号を受信する受信部を備え、操作スイッチユニットとリモートコントロール装置からの両方の信号に対応して車載電装ユニットを制御するので、従来技術１や従来技術２のように車体の天井部や側部の内側にスイッチパネルを設置する場合に比べて、そのスイッチパネルの奥行き分だけ部品が車体内部側にせり出すことがなくなり、車室空間を広めることが可能となる。
【００２１】
しかも、スイッチパネルと車載制御装置との間が有線配線となっていた従来技術１，２に比べて、リモートコントロール装置で直接に車載制御装置に無線信号を送信して操作制御を行っているので、スイッチパネルと車載制御装置との間の信号線等を車体内部に配策するための空間も必要なくなり、さらに車体内部空間を広めることができる。
【００２２】
そして、車載制御装置とは別個にスイッチパネルを設ける必要がなくなるので、車内空間に存在する部品点数の増大を防止することができ、車内空間の効率使用という点でも、また部品コストの低減という点でも、この部品点数を可及的に削減することができる。
【００２３】
具体的には、請求項２のように、前から２列目の座席の乗員の視点を基準点としたパネル部の表示画面の中心点の俯角が０°〜１１°の範囲内となる位置に設定されればよい。
【００２４】
また、前から３列目の座席の乗員については、請求項３のように、その乗員の視点を基準点としたパネル部の表示画面の中心点の俯角が０°〜７°の範囲内となる位置に設定されればよい。
【００２５】
さらに、請求項４のように、運転席を含む最前列の座席の乗員の視点を基準点としたパネル部の表示画面の中心点の俯角が０°〜２５°の範囲内となる位置に設定されているので、運転者が水平視線で正面の窓の外を見て運転を行っている最中であっても、窓の外と車載表示装置との視点移動を容易に行うことができ、安全性が向上する。
【００２６】
請求項５に記載の発明は、制御部が、操作スイッチユニットから操作に係る信号が与えられたときに、最前列の座席の乗員が視認するための第１の表示モードでパネル部の表示制御を行う一方、受信部から操作に係る信号が与えられたときに、２列目以後の座席の乗員が視認するために表示情報要素の拡大表示を行う第２の表示モードでパネル部の表示制御を行うので、操作を行った者が容易に視認できるようにパネル部の表示を変更することができ便利である。
【００２７】
請求項６に記載の発明は、第２の表示モードにおいて、表示情報要素の外形寸法をＷとし、２列目以後の全ての座席の乗員の視点からパネル部までの離間距離をＬとして、「Ｗ≧Ｌ×sin０．２°」が成立するように表示情報要素を表示するので、２列目以後の座席の乗員の視力が０．４以上である場合に、その乗員がパネル部に表示された表示情報要素を容易に視認できる。
【００２８】
請求項７に記載の発明は、第２の表示モードにおいて、表示情報要素の外形寸法をＷとし、２列目以後の座席の乗員の視点からパネル部までの離間距離をＬとして、「Ｗ≧Ｌ×sin０．３°」が成立するように表示情報要素を表示するので、２列目以後の座席の少なくとも一部の乗員の視力が０．３程度であっても、その乗員がパネル部に表示された表示情報要素を容易に視認できる。
【００２９】
請求項８に記載の発明は、第２の表示モードにおいて、表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の全ての座席の乗員の視点からパネル部までの離間距離をＬとして、「Ｗ２≧Ｌ×sin０．０４°」が成立するので、２列目以後の座席の乗員の視力が０．４以上である場合に、その乗員がパネル部に表示された表示情報要素を容易に視認識別できる。
【００３０】
請求項９に記載の発明は、第２の表示モードにおいて、表示情報要素に狭窄された間隙部分がある場合が存在し、この狭窄された間隙部分の有無が表示情報要素の識別を行う上で視認識別要素となる場合にあって、この狭窄された間隙部分の間隙寸法をＷ２として、２列目以後の全ての座席の乗員の視点からパネル部までの離間距離をＬとして、「Ｗ２≧Ｌ×sin０．０６°」が成立するので、２列目以後の座席の乗員の一部の視力が０．３以上であっても、その乗員がパネル部に表示された表示情報要素を容易に視認識別できる。
【００３１】
この狭窄された間隙部分としては、請求項１０のように、アラビア数字の「５」が適している。即ち、視認識別する様々な情報のなかでも、アラビア数字の「５」と「６」とが視認識別が困難な場合があり、この「５」の字において左下部分の狭窄された間隙部分を間隙と認識できた場合に人はこれを「５」と判断する一方、狭窄された間隙部分を間隙と判断できずに繋がっていると誤って認識した場合にはこれを人は「６」と判断するため、この「５」というアラビア数字の左下部分の狭窄された間隙部分を基準に、表示情報要素の表示領域を決定するのが最も合理的である。
【発明を実施するための最良の形態】
【００３２】
図１は本発明の一の実施形態に係る車載制御装置１が車室内に設置された状態を示す斜視図、図２は同じくその拡大斜視図、図３は運転者２と車載制御装置１との側面視における位置関係を示す図である。
【００３３】
この車載制御装置１１は、リア席が例えば３列に亘って設置されている例えばワゴン車等に適用されるもので、図１〜図３の如く、車室内前方、即ち、運転席と助手席の間の前方の部分に設置されたもので、特にリア席でのリモートコントロール装置１２での操作に係る無線信号を直接受信するとともに、その操作に係る状況を運転席や助手席の乗員だけでなくリア席（特に最後部のリア席）の乗員にも容易に視認できる位置に配置されている。
【００３４】
具体的に、この車載制御装置１１は、例えばカーナビゲーション操作が設けられていないワゴン車にあって、エアコン（車載電装ユニット）１４や車外の周辺視認画像等を表示するための表示装置（パネル部２１）を有したものであって、図４の如く、撮像カメラ１３で撮像された自動車の周辺の映像を表示したり、車内空気調和機（エアコン）１４等の種々の車載ユニットを操作スイッチユニット１５で操作する際の操作状況の情報、駆動状況の情報及び関連情報を表示したりするものであり、撮像カメラ１３、エアコン１４及び操作スイッチユニット１５とは所定の信号線で接続される。そして、この車載制御装置１１は、図４の如く、画像表示を司るＴＦＴ等の透過型ＬＣＤ等のパネル部２１と、このパネル部２１の背面から光を照射するバックライト２２と、ＲＯＭ２３、ＤＲＡＭ２４及び演算処理用のＡＳＩＣ（制御部）２５と、このＡＳＩＣ２５に接続されたマイコン（マイクロコンピュータチップ）２６と、マイコン２６とエアコン１４との間のＬＩＮ通信やＣＡＮ通信等の所定の方式での通信を司る通信制御部２７と、パネル部２１に電源を供給するパネル表示用電源部２８と、バックライト２２に電源を供給するバックライト用電源２９と、ＤＲＡＭ２４に保持電源を供給する例えば３．３Ｖの電源３０と、マイコン２６に電源を供給する例えば５Ｖの電源３１とを備える。これらの各要素に加えて、この車載制御装置１１は、リア席の乗員がスイッチ操作を行うリモートコントロール装置１２からの赤外線または電波等の無線信号を受信する受信部３３と、この受信部３３で受信した信号をＡＳＩＣ２５で処理するのに適した電気信号に変換する受信回路３４とをさらに備えている。
【００３５】
かかる車載制御装置１１は、図１〜図３の如く、車室内前部の中央部に設置されている。
【００３６】
ところで、運転者Ｈ１とパネル部２１の表示画面との間には、基本的に障害物がないため、この場合の視認性を考慮したパネル部２１の配置位置としては、運転席が前方の水平視線とパネル部２１の表示画面との間で視点移動をしやすいように設定すればよい。この場合、図３の如く、運転者Ｈ１の視点を基準点としたパネル部２１の表示画面の中心点の俯角（水平面と当該水平面から下にある視認対象を見る視線とが成す角）θ１が０°〜２５°の範囲内（例えば約２０°）となる位置に配置されれば、運転席は水平視線とパネル部２１の表示画面への視線を容易に切り替えることができる。
【００３７】
問題となるのは、リア席の乗員がリモートコントロール装置１２から車載制御装置１１に無線信号を送信し、そのときのリモートコントロール操作の状況が表示されたパネル部２１の表示画面を視認する場合である。車載制御装置１１のパネル部２１が低い位置にあると、リア席の乗員とパネル部２１との間に存在する座席の背もたれが視線を邪魔してしまう事態が生じ得る。
【００３８】
そこで、本出願人は、パネル部２１とリア席の乗員Ｈ２，Ｈ３の視点とを結ぶ直線が、当該乗員Ｈ２，Ｈ３の前に位置する座席の背もたれを回避するよう、パネル部２１の設置位置を設定している。具体的に、実際の自動車にパネル部２１を設置した場合を想定した場合に、前側のリア席（即ち、前から２列目の座席）の乗員Ｈ２の視点を基準点としたパネル部２１の表示画面の中心点の俯角θ２が０°〜１１°の範囲内となる位置に配置され、且つ、最後部のリア席（即ち、前から３列目の座席）の乗員Ｈ３の視点を基準点としたパネル部２１の表示画面の中心点の俯角θ３が０°〜７°の範囲内となる位置であれば、各乗員Ｈ２，Ｈ３の前側に位置する座席の背もたれが邪魔にならず、容易に車載制御装置１１のパネル部２１の表示画面を視認できることを経験則により認知した。
【００３９】
ここで、図３において、運転者Ｈ１の視点とパネル部２１の表示画面の中心点との離間距離をＬ１、リア席のうち前側のリア席に座した乗員Ｈ２の視点とパネル部２１の表示画面の中心点との離間距離をＬ２、最後部のリア席に座した乗員Ｈ３の視点とパネル部２１の表示画面の中心点との離間距離をＬ３とし、例えば、Ｌ１＝約８４０ｍｍ、Ｌ２＝約１９００ｍｍ、Ｌ３＝約２９００ｍｍである場合で、各乗員Ｈ１，Ｈ２，Ｈ３の各俯角θ１，θ２，θ３を上述のようにそれぞれθ１≦２５°、θ２≦１１°、θ３≦７°とした場合に、パネル部２１の表示画面の中心点の位置を、各乗員Ｈ１，Ｈ２，Ｈ３の水平視線から下がった寸法Ｄ１で表すこととすると、次の条件が成立する。
Ｄ１≦Ｌ１・sinθ１＝８４０×sin２５°＝約３５５ｍｍ  …（１）
Ｄ１≦Ｌ２・sinθ２＝１９００×sin１１°＝約３６３ｍｍ  …（２）
Ｄ１≦Ｌ３・sinθ３＝２９００×sin７°＝約３５３ｍｍ  …（３）
【００４０】
したがって、ワゴン車において、最後部のリア席の乗員の視点からパネル部２１の表示画面の中心点までの距離が２９００ｍｍ程度離間している場合、パネル部２１の表示画面の中心点の位置を、各乗員Ｈ１，Ｈ２，Ｈ３の水平視線から下がった寸法Ｄ１が３５０ｍｍ前後であれば、ワゴン車の全ての乗員が容易にパネル部２１の表示画面を視認できることになる。
【００４１】
尚、最後部のリア席の乗員Ｈ３は、この実施形態のようにリア席が前後に２列となっている場合は２列目であるが、リア席が前後に３列となっている場合（即ち、運転席や助手席を合わせて前後に合計４列の座席がある場合）は、リア席の３列目の座席が最後部のリア席の座席である。したがって、この場合は、リア席の３列目の座席の乗員の視点を基準としてその俯角θ３が０°〜７°である必要がある。
【００４２】
また、操作スイッチユニット１５は、図１〜図３の如く、車載制御装置１１が設置された位置よりも運転者の手前側にせり出した位置に配置され、エアコン１４を含む各種車載ユニットの操作スイッチを複数個配列して構成される。この操作スイッチユニット１５は、車載制御装置１１を視認しながら操作されるものであるため、運転者の視点を基準点とした操作スイッチユニット１５の中心点の俯角θ２が車載制御装置１１の中心点の俯角θ１からかけ離れないことが必要であり、両者の中心点の俯角の差（θ２−θ１）が１０°程度になることが望ましい。
【００４３】
ここで、従来のエアコン制御のための表示装置としては、ＴＮセグメントと称される固定パターンしか表示できないデバイスが使用されることが多かったのに対し、この実施形態におけるパネル部２１は、運転席及び助手席から視認するための第１の表示モードと、リア席から視認するための第２の表示モードとを切り替えることが可能である必要があり、さらに、エアコン１４の操作状況だけでなく、撮像カメラ１３で撮像した映像にも切り替える必要があるため、ドットマトリクス型の表示パネルが使用されており、例えばＴＦＴ型のマトリクス型の液晶表示パネルが適用されている。そして、このパネル部２１の形状は、撮像カメラ１３で撮像した映像を表示するためにも使用されることから、撮像カメラ１３で撮像した映像のサイズに適した寸法に設定されることが必要であり、また設置位置の他の部材とのレイアウト上の制約もあって、正面から見て略正方形に設定されている。具体的に、このパネル部２１は、横方向サイズを１とすると縦方向サイズが０．９５から１．２の範囲内に入るように設定されており、より具体的には、例えば、横方向サイズを１とすると縦方向サイズが約１．１に設定されている。具体的なサイズ値は、例えば、横方向サイズが約５６ｍｍに設定され、縦方向サイズが約６１ｍｍに設定される。
【００４４】
そして、この車載制御装置１１のＡＳＩＣ２５は、例えばエアコン１４の操作状況等の情報をパネル部２１に表示するに際して、図５に示した第１の表示モードと図６に示した第２の表示モードを切り替えて表示するようになっており、車室内前部の操作スイッチユニット１５が操作された場合には、図５に示した第１の表示モードで表示を行う一方、リモートコントロール装置１２からの無線信号が受信部３３に与えられてエアコン１４の制御を行う場合には、図６に示した第２の表示モードで表示を行うようになっている。かかるＡＳＩＣ２５は、操作スイッチユニット１５と受信回路３４とからそれぞれ与えられる信号に応じて、第１の表示モードと第２の表示モードのいずれで表示を行うかを論理判断するように構成されている。
【００４５】
ここで、第１の表示モードは、基本的には運転席の乗員Ｈ１や助手席の乗員が視認するための表示モードであり、室内温度や送風位置等を意味する数字や記号等の複数の表示情報要素を、運転席や助手席の乗員が視認するのに充分な程度の大きさで所定のレイアウトで配置して表示するものである。
【００４６】
これに対して、第２の表示モードは、最後部のリア席の乗員Ｈ３が視認できるように、室内温度や送風位置等を意味する数字や記号等の複数の表示情報要素を拡大して表示するモードである。
【００４７】
ここで、各表示情報要素の表示サイズは、最後部のリア席の乗員Ｈ３からの視認性を考慮して決定される。一般に、人の視力が０．４の場合、図６の如く、数字や記号等の各表示情報要素の外形寸法Ｗ１の最小寸法は、視野角として０．２°に対応している。また、「Ｃ」字の向きを判断する一般的な視力検査等で周知であるように、数字や記号等の表示情報要素に狭窄された間隙部分３７がある場合であって、この狭窄された間隙部分３７の有無が各表示情報要素の識別を行う上で重要な視認識別要素となる場合は、人の視力が０．４の場合、狭窄された間隙部分３７の間隙寸法Ｗ２が、視野角として０．０４°に対応している。そして、アラビア数字で最も混同しやすい数字は、「５」と「６」であり、「５」の字において左下部分の狭窄された間隙部分３７を間隙と認識できた場合に人はこれを「５」と判断する一方、狭窄された間隙部分３７を間隙と判断できずに繋がっていると誤って認識した場合にはこれを人は「６」と判断する。したがって、この「５」というアラビア数字の左下部分の狭窄された間隙部分３７が、最後部のリア席の乗員Ｈ３の視点を基準として、視野角として０．０４°に対応しており、且つ「５」という数字の外形寸法Ｗ１が視野角として０．２°に対応している場合は、最後部のリア席の乗員Ｈ３の視力が０．４である場合に、第２の表示モードで表示された表示情報要素が何とか視認できることになる。この場合、例えば最後部のリア席の乗員Ｈ３の視点とパネル部２１の表示画面の中心点との離間距離Ｌ３がＬ３＝約２９００ｍｍである場合、Ｗ１，Ｗ２はそれぞれ次の条件を満たして設定される。
Ｗ１≧Ｌ３×sin０．２°＝２９００×sin０．２°＝１０．１ｍｍ  …（４）
Ｗ２≧Ｌ３×sin０．０４°＝２９００×sin０．０４°＝２．０２ｍｍ  …（５）
【００４８】
また、前側のリア席の乗員Ｈ２からの視認性を考慮した場合、一般に、人の視力が０．３の場合、図６の如く、数字や記号等の各表示情報要素の外形寸法Ｗ１の最小寸法は、視野角として０．３°に対応している。また、数字や記号等の表示情報要素の狭窄された間隙部分３７の間隙寸法Ｗ２については、人の視力が０．３の場合、視野角として０．０６°に対応している。したがって、この「５」というアラビア数字の左下部分の狭窄された間隙部分３７が、前側のリア席の乗員Ｈ２の視点を基準として、視野角として０．０６°に対応しており、且つ「５」という数字の外形寸法Ｗ１が視野角として０．３°に対応している場合は、前側のリア席の乗員Ｈ２の視力が０．３であっても、第２の表示モードで表示された表示情報要素が何とか前側のリア席から視認できることになる。この場合、例えば前側のリア席の乗員Ｈ２の視点とパネル部２１の表示画面の中心点との離間距離Ｌ２がＬ２＝約１９００ｍｍである場合、Ｗ１，Ｗ２はそれぞれ次の条件を満たして設定される。
Ｗ１≧Ｌ２×sin０．３°＝１９００×sin０．３°＝９．９ｍｍ  …（６）
Ｗ２≧Ｌ２×sin０．０６°＝１９００×sin０．０６°＝１．９９ｍｍ  …（７）
【００４９】
したがって、前側のリア席の乗員Ｈ２の視力が０．４以上で、最後部のリア席の乗員Ｈ３の視力が０．４以上であれば、上記の（４）〜（７）を満たせばそれぞれのリア席の乗員Ｈ２，Ｈ３が第２の表示モードで充分に視認可能であることになる。
【００５０】
望ましくは、最後部のリア席の乗員Ｈ３の視力が０．３以上で視認できるように設定しておく方がよい。この場合は、
Ｗ１≧Ｌ３×sin０．３°＝２９００×sin０．３°＝１５．２ｍｍ  …（８）
Ｗ２≧Ｌ３×sin０．０６°＝２９００×sin０．０６°＝３．０４ｍｍ  …（９）
となるため、この（８），（９）式を満たす場合、２９００ｍｍも離間した最後部のリア席の乗員Ｈ３の視力が０．３以上であれば、第２の表示モードでの視認を充分に行うことが可能である。
【００５１】
尚、図１〜図３中の符号３８はオーディオ装置の表示パネルを示している。
【００５２】
上記構成の車載制御装置１１では、例えば運転者が、操作スイッチユニット１５でエアコン１４を操作すると、操作スイッチユニット１５からＡＳＩＣ２５に対して操作に係る信号が与えられ、これに応じて、ＡＳＩＣ２５は、パネル部２１での表示を第１の表示モード（図５）に設定し、このパネル部２１にエアコン１４の操作状況の情報、駆動状況の情報及び関連情報が車載制御装置１１に表示される。
【００５３】
この場合、運転者が水平視線で正面の窓の外を見て運転を行っている最中であっても、運転者の視点を基準点とした車載制御装置１１の表示画面の中心点の俯角θ１が０°〜２５°に設定されているので、窓の外と車載制御装置１１との間の視点移動を容易に行うことができる。特に、撮像カメラで撮像した映像を車載制御装置に表示する場合は、自動車を徐行運転する場合等が多いため、車載制御装置との視点移動を頻繁に行うことが多く、このような場合に、いちいち停車してから車載制御装置を視認する必要がなくなって便利である。
【００５４】
一方、リア席の乗員Ｈ２，Ｈ３がリモートコントロール装置１２で操作を行ってエアコン１４の操作を行った場合は、リモートコントロール装置１２からの無線信号が車載制御装置１１の受信部３３で受信され、そのときの操作に係る信号が受信回路３４を介してＡＳＩＣ２５に入力される。これに応じて、ＡＳＩＣ２５は、パネル部２１での表示を第２の表示モード（図６）に設定し、このパネル部２１にエアコン１４の操作状況の情報、駆動状況の情報及び関連情報が車載制御装置１１に表示される。
【００５５】
このとき、前側のリア席の乗員Ｈ２については、その視点を基準として、パネル部２１の表示画面の中心点の俯角θ３が０°〜１０°に設定されているので、その前の座席の背もたれに邪魔されることが無くパネル部２１の表示を視認できる。
【００５６】
また、最後部のリア席の乗員Ｈ３の視点を基準として、パネル部２１の中心位置の俯角θ３が０°〜７°に設定されているので、最後部のリア席から見ても、その前の座席の背もたれに邪魔されることが無くパネル部２１の表示を視認できる。
【００５７】
そして、第２の表示モードにあって、上記の（４）〜（７）を満たすように各表示情報要素が設定されているので、前側のリア席の乗員Ｈ２の視力が０．４以上で、最後部のリア席の乗員Ｈ３の視力が０．４以上であれば、それぞれのリア席の乗員Ｈ２，Ｈ３が第２の表示モードで充分に視認可能となる。
【００５８】
さらに、上記の（８），（９）式を満たす場合、最後部のリア席の乗員Ｈ３の視力が０．３以上であれば、第２の表示モードでの視認を充分に行うことが可能である。
【００５９】
以上のようにすれば、図１０に示した従来技術１や図１１に示した従来技術２のように、車体の天井部や側部の内側にスイッチパネル２，５を設置する場合に比べて、そのスイッチパネル２，５の奥行き分だけ部品が車体内部側にせり出すことがなくなり、車室空間を広めることが可能となる。
【００６０】
しかも、スイッチパネル２，５と車載制御装置３，６との間が有線配線となっていた従来技術１，２に比べて、この実施形態ではリモートコントロール装置１２で直接に車載制御装置１１に無線信号を送信して操作制御を行っているので、スイッチパネルと車載制御装置１１との間の信号線等を車体内部に配策するための空間も必要なくなり、さらに車体内部空間を広めることができる。
【００６１】
そして、車載制御装置３，６とは別個にスイッチパネル２，５を設ける必要がなくなるので、車内空間に存在する部品点数の増大を防止することができ、車内空間の効率使用という点でも、また部品コストの低減という点でも、この部品点数を可及的に削減することができる。
【００６２】
尚、上記実施形態では、車載電装ユニットとしてエアコン１４の操作について第１の表示モードと第２の表示モードとを切り替えてパネル部２１に表示する例を説明したが、車載電装ユニットはエアコン１４に限るものではなく、例えばラジオ等のオーディオ装置等を適用し、このオーディオ装置等の操作をリモートコントロール装置１２で行う場合等にも有効である。
【００６３】
また、例えば図７または図８の如く、車載制御装置１１よりも操作スイッチユニット１５が運転者の手前側にせり出した配置関係とされるにあたって、車載制御装置１１のパネル部２１が横方向にずれて配置されてもよい。
【００６４】
さらに、受信部３３は、パネル部２１の周辺であればよく、横側、上側の他、下側にあってもよい。この場合、リモートコントロール装置１２からの無線信号が電波によって与えられる場合は、この電波が座席の背もたれを通過するため、その背もたれによって妨げられることが殆どなく、電波の回折によりスムーズに受信部３３に伝達される。また、リモートコントロール装置１２からの無線信号が赤外線によるものである場合も、この赤外線が各部位で屈折することにより、必ずしもリモートコントロール装置１２と受信部３３とを結ぶ直線が背もたれを回避する必要がない。
【００６５】
さらにまた、図４に示したブロック図は例示であり、例えば、上記実施形態において車載制御装置１１内に設置されていたマイコン２６、通信制御部２７及び５Ｖの電源３１が、図９のように、操作スイッチユニット１５側の内部に設置されても差し支えない。
【００６６】
また、車載制御装置１１だけでなく、リモートコントロール装置１２にもその操作状況を表示する液晶表示パネル等の表示部が設置されてもよい。この場合のリモートコントロール装置１２の表示部は、単にリモートコントロール装置１２におけるスイッチ操作等に基づいて操作状況を表示するのに留まる。
【図面の簡単な説明】
【００６７】
【図１】本発明の一の実施形態に係る車載制御装置が車室内に設置された状態を示す斜視図である。
【図２】図１の拡大斜視図である。
【図３】本発明の一の実施形態に係る車載制御装置と操作スイッチユニットと運転者の視点との位置関係を示す側面図である。
【図４】本発明の一の実施形態に係る車載制御装置の適用例を示すブロック図である。
【図５】本発明の一の実施形態に係る車載制御装置のパネル部について第１の表示モードで表示されている例を示す模式図である。
【図６】本発明の一の実施形態に係る車載制御装置のパネル部について第２の表示モードで表示されている例を示す模式図である。
【図７】本発明の変形例に係る車載制御装置が車室内に設置された状態を示す斜視図である。
【図８】本発明の変形例に係る車載制御装置が車室内に設置された状態を示す斜視図である。
【図９】本発明の変形例に係る車載制御装置の適用例を示すブロック図である。
【図１０】従来技術１が適用されたワゴン車の車室内を示す斜視図である。
【図１１】従来技術２が適用されたワゴン車の車室内を示す斜視図である。
【符号の説明】
【００６８】
１１  車載制御装置
１２  リモートコントロール装置
１３  撮像カメラ
１４  エアコン
１５  操作スイッチユニット
２１  パネル部
２５  ＡＳＩＣ
２６  マイコン
３３  受信部
３４  受信回路
３７  間隙部分
θ１，θ２，θ３  俯角
Ｈ１，Ｈ２，Ｈ３  乗員
Ｗ１  外形寸法
Ｗ２  間隙寸法
【図１】
2005162048.tif 000003
【図２】
2005162048.tif 000004
【図３】
2005162048.tif 000005
【図４】
2005162048.tif 000006
【図５】
2005162048.tif 000007
【図６】
2005162048.tif 000008
【図７】
2005162048.tif 000009
【図８】
2005162048.tif 000010
【図９】
2005162048.tif 000011
【図１０】
2005162048.tif 000012
【図１１】
2005162048.tif 000013